(57)【要約】【課題】ターンバックルブレースに圧縮力や曲げが発生してもターンバックルボルトやターンバックル胴に圧縮力や曲げが作用しないようにして、地震などによる変形を抑える効果に優れるターンバックルブレースを提供すること。【解決手段】ターンバックル胴１６，１８およびターンバックルボルト１２，１４を有するブレースからなり、軸方向の一部に、軸方向に連続する連続繊維を含み可撓性を備えた可撓部を有するターンバックルブレース１０とする。【選択図】図１
2020159091.tif 000002
【特許請求の範囲】
【請求項１】
ターンバックル胴およびターンバックルボルトを有するブレースからなるターンバックルブレースであって、
軸方向の一部に、前記軸方向に連続する連続繊維を含み可撓性を備えた可撓部を有することを特徴とするターンバックルブレース。
【請求項２】
前記可撓部は、前記軸方向に連続する連続繊維を強化繊維とする繊維強化プラスチックの軸方向中間部においてマトリックスポリマーから露出する露出繊維部分からなることを特徴とする請求項１に記載のターンバックルブレース。
【請求項３】
前記可撓部は、前記軸方向に連続する連続繊維を強化繊維とする繊維強化プラスチックにおいてマトリックスポリマーが可撓性を有するポリマーを含むポリマーで構成された部分からなることを特徴とする請求項１に記載のターンバックルブレース。
【請求項４】
前記連続繊維が、ガラス繊維、炭素繊維、アラミド繊維、アリレート繊維、ビニロン繊維、ポリエチレン繊維の少なくとも１種であることを特徴とする請求項１から３のいずれか１項に記載のターンバックルブレース。
【請求項５】
前記ターンバックル胴がパイプ式ターンバックル胴であり、該パイプ式ターンバックル胴に前記繊維強化プラスチックの端部が挿入されており、接着剤、マトリックスポリマー、セメントの少なくとも１種によって前記パイプ式ターンバックル胴に前記繊維強化プラスチックの端部が接続されていることを特徴とする請求項１から４のいずれか１項に記載のターンバックルブレース。
【発明の詳細な説明】
【技術分野】
【０００１】
本発明は、ターンバックルブレースに関し、さらに詳しくは、ビル、マンション、木造家屋、橋脚などの既設または新設の建築物に設置されるブレース材として好適なターンバックルブレースに関するものである。
【背景技術】
【０００２】
建築物その他の構造物において、地震力や風力などの水平力に抵抗させる構造要素として、ブレース材が用いられる。ブレース材としては、ターンバックルブレースが知られている。ターンバックルブレースは、通常、ターンバックル胴とロッド状のターンバックルボルトで構成されている。ターンバックルブレースの改良発明としては、ロッド状のターンバックルボルトをワイヤに変更したワイヤ式ブレース（特許文献１）や、ターンバックル胴のロッド挿入口が透孔であり、ロッド挿入口に挿入されたロッド状のターンバックルボルトの端部に、ターンバックル胴内で、減衰部材を挟んでナットが螺合されたターンバックル（特許文献２）などが開示されている。
【先行技術文献】
【特許文献】
【０００３】
【特許文献１】特開２００８−０２５７８６号公報
【特許文献２】特開２００５−２６４４７２号公報
【発明の概要】
【発明が解決しようとする課題】
【０００４】
ターンバックルブレースは、構造計算上は圧縮力に抵抗しないとして用いられている。しかし、ターンバックルブレースに地震などによる繰り返し力が作用すると、ブレース全体が弧を描くように曲がる変形が生じ、ターンバックルボルトの付け根やターンバックル胴の付け根などに応力が集中し、応力の集中する部分に損傷が生じるおそれがある。
【０００５】
特許文献１のワイヤ式ブレースは、ロッド状のターンバックルボルトを用いていないため、ロッドを用いた通常のターンバックルブレースと比較して、接合が難しい。特許文献２のターンバックルは、ロッド挿入口が透孔であるため、圧縮力は作用しないものの、軸方向に直交する方向の曲げ変形を吸収できない。
【０００６】
本発明が解決しようとする課題は、ターンバックルブレースに圧縮力や曲げが発生してもターンバックルボルトやターンバックル胴に圧縮力や曲げが作用しないようにして、地震などによる変形を抑える効果に優れるターンバックルブレースを提供することにある。
【課題を解決するための手段】
【０００７】
上記課題を解決するため本発明に係るターンバックルブレースは、ターンバックル胴およびターンバックルボルトを有するブレースからなるターンバックルブレースであって、軸方向の一部に、前記軸方向に連続する連続繊維を含み可撓性を備えた可撓部を有することを要旨とするものである。
【０００８】
前記可撓部は、前記軸方向に連続する連続繊維を強化繊維とする繊維強化プラスチックの軸方向中間部においてマトリックスポリマーから露出する露出繊維部分からなるとよい。あるいは、前記可撓部は、前記軸方向に連続する連続繊維を強化繊維とする繊維強化プラスチックにおいてマトリックスポリマーが可撓性を有するポリマーを含むポリマーで構成された部分からなってもよい。
【０００９】
前記連続繊維は、ガラス繊維、炭素繊維、アラミド繊維、アリレート繊維、ビニロン繊維、ポリエチレン繊維の少なくとも１種以上であることが好ましい。
【００１０】
前記ターンバックル胴がパイプ式ターンバックル胴であり、該パイプ式ターンバックル胴に前記繊維強化プラスチック部分が挿入されており、接着剤、マトリックスポリマー、セメントの少なくとも１種によって前記パイプ式ターンバックル胴に前記繊維強化プラスチック部分が接続されているとよい。
【発明の効果】
【００１１】
本発明に係るターンバックルブレースによれば、軸方向の一部に軸方向に連続する連続繊維を含み可撓性を備えた可撓部を有することから、ターンバックルブレースに圧縮力や曲げが発生しても、可撓部で変形を吸収するので、ターンバックルボルトやターンバックル胴に圧縮力や曲げが作用しないようにして、地震などによる変形を抑える効果に優れる。
【図面の簡単な説明】
【００１２】
【図１】本発明の一実施形態に係るターンバックルブレースの模式図であり、分解図（ａ）と連結図（ｂ）である。
【図２】ターンバックル胴の一例の断面図である。
【図３】露出繊維部分を有する繊維強化プラスチックの一例の模式図である。
【図４】建物の壁にターンバックルブレースを設置した状態を示す模式図である。
【図５】ターンバックルブレースに圧縮力や曲げが発生したときの作用を説明する模式図である。
【図６】本発明の他の実施形態に係るターンバックルブレースの模式図である。
【図７】本発明の他の実施形態に係るターンバックルブレースの模式図である。
【発明を実施するための形態】
【００１３】
以下、本発明の実施形態について、図を参照して詳細に説明する。
【００１４】
図１に示すように、本発明の一実施形態に係るターンバックルブレース１０は、一対の羽子板ボルト（ターンバックルボルト）１２，１４と、一対のターンバックル胴１６，１８と、繊維強化プラスチック２０と、から構成されている。
【００１５】
図１に示すように、羽子板ボルト１２は、ガセットプレートなどに固定するための固定部となる平板状の羽根部１２ａを軸方向の一方に有し、その羽根部１２ａに連続して軸方向の他方にボルト部１２ｂを有する。ボルト部１２ｂの他方側先端には、雄ねじ１２ｃが形成されている。羽子板ボルト１２は、鋼材などの金属材料で構成されている。また、羽子板ボルト１４も、羽子板ボルト１２と同様に、鋼材などの金属材料で構成され、羽根部１４ａを軸方向の他方に有し、その羽根部１４ａに連続して軸方向の一方にボルト部１４ｂを有する。ボルト部１４ｂの一方側先端には、雄ねじ１４ｃが形成されている。
【００１６】
図１，２に示すように、ターンバックル胴１６は、パイプ式のターンバックル胴からなり、両端の内周面には互いに逆ねじとなる雌ねじ１６ａ，１６ｂが形成されている。ターンバックル胴１６において、両端の雌ねじ１６ａ，１６ｂの内径よりも胴部１６ｃの内径が大きくなっており、胴部１６ｃから雌ねじ１６ａにつながる部分や胴部１６ｃから雌ねじ１６ｂにつながる部分には、漸次径が小さくなるテーパがつけられている。ターンバックル胴１６は、鋼材などの金属材料で構成されている。また、ターンバックル胴１８も、ターンバックル胴１６と同様に、パイプ式のターンバックル胴からなり、両端の内周面には互いに逆ねじとなる雌ねじ１８ａ，１８ｂが形成されている。
【００１７】
図１，３に示すように、繊維強化プラスチック（Ｆｉｂｅｒ  Ｒｅｉｎｆｏｒｃｅｄ  Ｐｌａｓｔｉｃｓ、ＦＲＰ）２０は、炭素繊維などの繊維（強化繊維）をプラスチックの中に入れて強度を向上させた複合材料である。繊維強化プラスチック２０の両端部は、断面が丸や四角形などの棒状に成形されている。繊維強化プラスチック２０において、強化繊維は、繊維強化プラスチック２０の一端から他端まで軸方向に連続する連続繊維となっている。繊維強化プラスチック２０の軸方向中間部には、強化繊維の一部がマトリックスポリマーから露出する露出繊維部分２０ａが形成されている。軸方向中間部とは、軸方向端部を除いた部分である。この露出繊維部分２０ａが、ターンバックルブレース１０における可撓性を備えた可撓部となる。露出繊維部分２０ａ以外の部分２０ｂ，２０ｃは、強化繊維とマトリックスポリマーが複合されている部分であるため、曲がりにくい（可撓性を備えていない）部分である。露出繊維部分２０ａ以外の部分２０ｂ，２０ｃは、後述するように、ターンバックル胴の雌ねじに挿入され接着剤などで固定される部分であり、挿入および接着に必要な長さが確保されていればよい。
【００１８】
繊維強化プラスチック２０の強化繊維は、単繊維の束からなるフィラメントを複数本束ねたものから構成される。強化繊維としては、ガラス繊維、炭素繊維、アラミド繊維、アリレート繊維、ビニロン繊維、ポリエチレン繊維などを挙げることができる。アリレート繊維は、芳香族ポリエステル繊維である。ポリエチレン繊維は、分子量を１００万〜７００万まで高めた超高分子量ポリエチレンである。これらは、繊維強化プラスチック２０の強化繊維として１種単独で用いてもよいし、２種以上を組み合わせて用いてもよい。これらのうちでは、鋼材などの金属材料よりも同じ太さにおいて引張強度に優れる、同じ太さにおいてより軽量であるなどの観点から、ガラス繊維、炭素繊維、アラミド繊維、アリレート繊維がより好ましい。
【００１９】
繊維強化プラスチック２０のマトリックスポリマー（母材）としては、強度や剛性の高い熱硬化性樹脂を用いることが好ましいが、熱可塑性樹脂やゴム、エラストマーなどであってもよい。マトリックスポリマーとしては、強度や剛性に優れる、強化繊維の単繊維間に浸潤しやすいなどの観点から、エポキシ樹脂、不飽和ポリエステル樹脂、ビニルエステル樹脂、フェノール樹脂などの熱硬化性樹脂がより好ましく、繊維強化プラスチック２０の端部２０ｂ、２０ｃをターンバックル胴の雌ねじに挿入した後注入する接着剤との接着性に優れるなどの観点から、エポキシ樹脂が特に好ましい。
【００２０】
繊維強化プラスチック２０は、引抜法により断面が丸や四角形などの棒状に成形することができる。繊維強化プラスチック２０において、露出繊維部分２０ａを形成する方法としては、次のような方法がある。第一には、引抜法で棒状とした繊維強化プラスチック２０の軸方向中間部を局所的に加熱処理し、その部分のマトリックスポリマーを気化させることにより、その部分において強化繊維のみを残す方法を挙げることができる。第二には、引抜法を行う段階で、マトリックスポリマーを含む含浸液が貯蔵される含浸槽に連続繊維を沈めるディッパーを連続的に上下動させ、移動中の連続繊維を含浸槽に沈めたり含浸槽から引き上げたりすることで、連続繊維に対しマトリックスポリマーを間欠的に含浸させないようにし、連続繊維に対しマトリックスポリマーを含浸させた部分と含浸させていない部分とを交互に配置する方法を挙げることができる。また、ハンドレイアップ成形によっても露出繊維部分２０ａを形成可能である。
【００２１】
図１に示すように、ターンバックルブレース１０は、次のようにして、組み立てることができる。まず、羽子板ボルト１２の雄ねじ１２ｃをターンバックル胴１６の雌ねじ１６ａに螺合する。同様に、羽子板ボルト１４の雄ねじ１４ｃをターンバックル胴１８の雌ねじ１８ｂに螺合する。次いで、ターンバックル胴１６の雌ねじ１６ｂに繊維強化プラスチック２０の端部２０ｂを挿入し、接着剤で固定する。同様に、ターンバックル胴１８の雌ねじ１８ａに繊維強化プラスチック２０の端部２０ｃを挿入し、接着剤で固定する。以上により、軸方向に、羽子板ボルト１２、ターンバックル胴１６、繊維強化プラスチック２０、ターンバックル胴１８、羽子板ボルト１４が順次接続されてなるターンバックルブレース１０が得られる。
【００２２】
繊維強化プラスチック２０の端部２０ｂは、ターンバックル胴１６の雌ねじ１６ｂに雌ねじ１６ｂの長さ以上に挿入され、胴部１６ｃまでその先端が配置されることが好ましい。また、繊維強化プラスチック２０の端部２０ｂを固定する接着剤には、鋼球を混入させ、雌ねじ１６ｂを超えて胴部１６ｃまで注入されることが好ましい。雌ねじ１６ｂの奥まで繊維強化プラスチック２０の端部２０ｂと接着剤が一体化されていると、テーパ部分で引っかかりが形成され、雌ねじ１６ｂから繊維強化プラスチック２０の端部２０ｂが抜けにくく、接続強度が向上する。なお、接着剤は、ターンバックル胴１６の内部全体に注入されていてもよいし、雌ねじ１６ｂの周囲にのみ注入されていてもよい。繊維強化プラスチック２０の端部２０ｃおよびターンバックル胴１８の雌ねじ１８ａについても同様である。
【００２３】
繊維強化プラスチック２０の端部２０ｂ，２０ｃを固定するための接着剤は、特に限定されるものではないが、エポキシ樹脂系接着剤や膨張コンクリートなどを用いることができる。接着剤がエポキシ樹脂である場合、繊維強化プラスチック２０のエポキシ樹脂を含むマトリックスポリマーと接着性に優れる。
【００２４】
ターンバックルブレース１０においては、羽子板ボルト１２の雄ねじ１２ｃに螺合されているターンバックル胴１６の雌ねじ１６ａと、羽子板ボルト１４の雄ねじ１４ｃに螺合されているターンバックル胴１８の雌ねじ１８ｂと、が互いに逆ねじとなっており、ターンバックル胴１６と繊維強化プラスチック２０とターンバックル胴１８を軸中心に一体に回転させることにより、ターンバックルブレース１０の長さを軸方向に伸縮させることができる。
【００２５】
以上の構成のターンバックルブレース１０は、例えば、ビル、マンション、木造家屋、橋脚などの既設または新設の建築物に設置されるブレース材として好適に用いることができる。
【００２６】
図４には、ターンバックルブレース１０の設置例を示している。図４において、ターンバックルブレース１０は、建物１の梁２と柱３で構成される架構（壁）にたすき掛けするように張設されている。図４に示すように、例えば矢印の方向に建物に水平力が作用すると、ターンバックルブレース１０ａ（１０）には引張力が作用し、ターンバックルブレース１０ｂ（１０）には圧縮力や曲げの力が作用する。このとき、ターンバックルブレース１０ａ（１０）が引張力の作用に抵抗することで、建物１の剛性や耐力を確保することができる。一方で、ターンバックルブレース１０ｂ（１０）は、図５に示すように、圧縮力や曲げの力に対し、繊維強化プラスチック２０の露出繊維部分２０ａが撓むことで変形を吸収し、羽子板ボルト１２，１４やターンバックル胴１６，１８などの金属部分には圧縮力や曲げの力が作用しない。これにより、羽子板ボルト１２，１４の付け根やターンバックル胴１６，１８の付け根などに損傷が生じるのを抑えることができる。通常のターンバックルブレースは、露出繊維部分２０ａのような変形を吸収できる部分がないため、圧縮力や曲げの力により羽子板ボルトやターンバックル胴などの金属部分が撓んだ後、羽子板ボルトの付け根やターンバックル胴の付け根などに損傷が生じるおそれがある。
【００２７】
したがって、本発明に係るターンバックルブレース１０によれば、軸方向の一部に軸方向に連続する連続繊維を含み可撓性を備えた可撓部を有することから、ターンバックルブレース１０に圧縮力や曲げが発生しても、可撓部で変形を吸収するので、ターンバックルボルト（羽子板ボルト１２，１４）やターンバックル胴１６，１８に圧縮力や曲げが作用しないようにしてターンバックルブレース１０の損傷を抑えつつ、地震などによる建物の変形を抑える効果に優れる。
【００２８】
そして、本発明に係るターンバックルブレース１０は、既存建築物であってもボルトの取り外しのみで部材自体を簡単に取り替えることができる。その重量も数ｋｇであることから、取り替え作業に重機等を必要としない。
【００２９】
繊維強化プラスチック２０における炭素繊維などの各繊維は、鋼材などの金属材料よりも比強度（比重当たりの引張強度）が数倍高いため、同程度の太さにおいて、金属材料よりも強度に優れ、かつ、軽量である。このため、引張力の作用に対し、繊維露出部分２０ａよりも金属材料部分で破壊させることができる。したがって、金属材料部分の強度を基準に耐力を設計することができる。また、羽子板ボルト１２，１４やターンバックル胴１６，１８など、接合部の破壊より先に金属材料部分が降伏するように設計すれば、変形性能により優れるものとできる。
【００３０】
ＪＩＳにおけるターンバックルブレースのサイズは、ねじの呼び径Ｍ６〜Ｍ３３まで存在する。この範囲内のサイズでターンバックルブレースを構成することができる。
【００３１】
ターンバックルブレース１０において、強化繊維は、鋼材などの金属材料よりも比強度（比重当たりの引張強度）が数倍高いため、可撓部となる繊維露出部分２０ａの太さは、羽子板ボルト１２，１４のボルト部１２ｂ，１４ｂよりも細くしても十分に強度が得られる。ただし、繊維露出部分２０ａの強度を十分に確保するなどの観点から、繊維露出部分２０ａの太さは、羽子板ボルト１２，１４のボルト部１２ｂ，１４ｂの１／２倍以上１倍以下とすることが好ましい。
【００３２】
以上、本発明は上記実施形態に限定されるものではなく、本発明の趣旨を逸脱しない範囲内で種々の改変が可能なものである。
【００３３】
例えば上記実施形態では、可撓部が繊維強化プラスチック２０の露出繊維部分２０ａからなるが、本発明における可撓部は、この構成に限定されるものではない。
【００３４】
図６には、他の実施形態に係るターンバックルブレースを示している。図６に示すターンバックルブレース３０は、図１に示すターンバックルブレース１０と比較して、繊維強化プラスチック２２の部分の構成が異なるのみであり、それ以外の構成については図１に示すターンバックルブレース１０と同様であり、その説明については省略する。
【００３５】
ターンバックルブレース３０において、繊維強化プラスチック２２は、軸方向に連続する連続繊維を強化繊維とし、強化繊維の軸方向の全長にわたってマトリックスポリマーが含浸されている。そして、そのマトリックスポリマーが、可撓性を有するポリマーを含むポリマーで構成されている。したがって、ターンバックルブレース３０において、可撓部は、マトリックスポリマーが可撓性を有するポリマーを含むポリマーで構成された部分からなる。マトリックスポリマーは、マトリックスポリマー全体が可撓性を有するのであれば、可撓性を有するポリマーのみで構成されていてもよいし、可撓性を有するポリマーと可撓性を有さないポリマーの混合物で構成されていてもよい。
【００３６】
可撓性を有するポリマーとしては、ゴム、エラストマーなどを挙げることができる。また、柔軟性に優れるエポキシ樹脂を挙げることができる。柔軟性に優れるエポキシ樹脂としては、脂肪族骨格を分子構造内に有するエポキシ樹脂、ポリブタジエンや水添ポリブタジエン骨格を分子構造内に有するエポキシ樹脂などを挙げることができる。柔軟性に優れるエポキシ樹脂は、エポキシ樹脂であり、炭素繊維などの繊維との密着性に優れる点でより好ましい。
【００３７】
繊維強化プラスチック２２は、軸方向の全長にわたって強化繊維がマトリックスポリマーに含浸されており、軸方向の全長にわたって強化繊維がマトリックスポリマーによって一体化されている。このため、強化繊維を構成する各フィラメントが引張力によって個々に断線するのが抑えられ、引張強度により優れる。
【００３８】
なお、繊維強化プラスチック２２は、軸方向の全長にわたって可撓性を有するポリマーを含むポリマーでマトリックスポリマーが構成されているが、軸方向中間部のみ可撓性を有するポリマーを含むポリマーでマトリックスポリマーが構成され、軸方向の両端部は可撓性を有さないマトリックスポリマーが構成されていてもよい。
【００３９】
また、図１に示すターンバックルブレース１０では、ターンバックル胴１６と繊維強化プラスチック２０とターンバックル胴１８を軸中心に一体に回転させることにより、ターンバックルブレース１０の長さを軸方向に伸縮させるものとなっているが、本発明は、この構成に限定されるものではない。
【００４０】
図７には、他の実施形態に係るターンバックルブレースを示している。図７に示すターンバックルブレース４０は、図１に示すターンバックルブレース１０と比較して、両ねじボルト２４とターンバックル胴２６が追加されている点が相違し、それ以外の構成については、図１に示すターンバックルブレース１０と同様である。
【００４１】
両ねじボルト２４は、鋼材などの金属材料で構成され、両端部に雄ねじ２４ａ，２４ｂが形成されている。ターンバックル胴２６は、ターンバックル胴１６，１８と同様に、鋼材などの金属材料で構成され、パイプ式のターンバックル胴からなり、両端の内周面には互いに逆ねじとなる雌ねじ２６ａ，２６ｂが形成されている。
【００４２】
ターンバックルブレース４０は、次のようにして、組み立てることができる。まず、羽子板ボルト１２の雄ねじ１２ｃをターンバックル胴１６の雌ねじ１６ａに螺合する。また、羽子板ボルト１４の雄ねじ１４ｃをターンバックル胴２６の雌ねじ２６ｂに螺合する。そして、ターンバックル胴２６の雌ねじ２６ａには、両ねじボルト２４の雄ねじ２４ｂを螺合する。次いで、両ねじボルト２４の雄ねじ２４ａに、ターンバックル胴１８の雌ねじ１８ｂを螺合する。次いで、ターンバックル胴１６の雌ねじ１６ｂに、繊維強化プラスチック２０の端部２０ｂを挿入し、接着剤で固定する。また、ターンバックル胴１８の雌ねじ１８ａに、繊維強化プラスチック２０の端部２０ｃを挿入し、接着剤で固定する。以上により、軸方向に、羽子板ボルト１２、ターンバックル胴１６、繊維強化プラスチック２０、ターンバックル胴１８、両ねじボルト２４、ターンバックル胴２６、羽子板ボルト１４が順次接続されてなるターンバックルブレース４０が得られる。
【００４３】
ターンバックルブレース４０においては、羽子板ボルト１４の雄ねじ１４ｃに螺合されているターンバックル胴２６の雌ねじ２６ｂと、両ねじボルト２４の雄ねじ２４ｂに螺合されているターンバックル胴２６の雌ねじ２６ａと、が互いに逆ねじとなっており、ターンバックル胴２６を軸中心に一体に回転させることにより、ターンバックルブレース４０の長さを軸方向に伸縮させることができる。また、羽子板ボルト１２の雄ねじ１２ｃに螺合されているターンバックル胴１６の雌ねじ１６ａと、両ねじボルト２４の雄ねじ２４ａに螺合されているターンバックル胴１８の雌ねじ１８ｂと、が互いに逆ねじとなっており、ターンバックル胴１６と繊維強化プラスチック２０とターンバックル胴１８を軸中心に一体に回転させることにより、ターンバックルブレース４０の長さを軸方向に伸縮させることもできる。
【００４４】
また、図１に示すターンバックルブレース１０では、露出繊維部分２０ａを有しているが、可撓性の熱収縮チューブなどでこの露出繊維部分２０ａを覆い、露出繊維部分２０ａを一体化してもよい。
【００４５】
また、図１に示すターンバックルブレース１０では、繊維強化プラスチック２０の一部が露出繊維部分２０ａとなっているが、マトリックスポリマーに含浸されていない連続繊維のみをターンバックル胴１６の雌ねじ１６ｂとターンバックル胴１８の雌ねじ１８ａの間に配置し、かしめや接着剤によって連続繊維の両端部をターンバックル胴１６の雌ねじ１６ｂやターンバックル胴１８の雌ねじ１８ａに固定するものであってもよい。
【符号の説明】
【００４６】
１０，３０，４０  ターンバックルブレース
１２，１４  羽子板ボルト
１６，１８，２６  ターンバックル胴
２０，２２  繊維強化プラスチック
２０ａ  露出繊維部分
２４  両ねじボルト
【図１】
2020159091.tif 000003
【図２】
2020159091.tif 000004
【図３】
2020159091.tif 000005
【図４】
2020159091.tif 000006
【図５】
2020159091.tif 000007
【図６】
2020159091.tif 000008
【図７】
2020159091.tif 000009